(57)【要約】【課題】所定の領域に図形及び文字を配置する際に図形、文字、及び配置される領域を見栄え良く、色を設定できるレイアウト決定方法を得る。【解決手段】所定の領域に図形及び文字を配置する場合に、コンピューターを用いて前記図形及び文字のレイアウトを決定するレイアウト決定方法に関する。管理コンピュータが、前記所定の領域に配置すべき図形に関する情報に従って、図形領域に色を設定する段階（Ｓ２−１）と、図形に色を設定する段階（Ｓ２−２）と、文字領域に色を設定する段階（Ｓ２−３）と、図形領域を設定する段階（Ｓ２−４）と、前記図形領域以外の領域を文字領域として決定する段階（Ｓ２−５）と、前記文字領域に配置すべき文字に関する情報に従って、文字領域に配置する文字を調整する段階（Ｓ２−６）とを備えている。【選択図】図５
2005216082.tif 000002
【特許請求の範囲】
【請求項１】
所定の領域に図形及び文字を配置する場合に、コンピューターを用いて前記図形及び文字のレイアウトを決定するレイアウト決定方法であって、
前記コンピュータが、
前記所定の領域に配置すべき図形に関する情報に従って、
図形領域に色を設定する段階と、
図形に色を設定する段階と、
文字領域に色を設定する段階と、
図形領域を設定する段階と、
前記図形領域以外の領域を文字領域として決定する段階と、
前記文字領域に配置すべき文字に関する情報に従って、文字領域に配置する文字を調整する段階とを備えたことを特徴とするレイアウト決定方法。
【請求項２】
請求項１に記載のレイアウト決定方法において、前記文字領域に配置する文字を調整する段階は、文字に色を設定する段階と、文字にフォントを設定する段階と、前記文字領域の大きさと前記文字領域に配置すべき文字数とに基づいて文字の大きさを決定する段階とを備えていることを特徴とするレイアウト決定方法。
【請求項３】
請求項１又は２に記載のレイアウト決定方法において、前記文字領域に配置する文字を調整する段階は、前記文字領域に順次文字を配置する段階を含んでいることを特徴とするレイアウト決定方法。
【請求項４】
所定の領域に図形及び文字を配置する場合に、コンピュータを用いて前記図形及び文字のレイアウトを決定するためのレイアウト決定プログラムであって、前記コンピュータを、前記所定の領域に配置すべき図形に関する情報に従って、図形領域の色を設定する色設定手段、図形領域を設定する図形領域設定手段、文字領域の色を設定する色設定手段、前記図形領域以外の領域を文字領域として決定する文字領域決定手段、及び、前記文字領域に配置すべき文字に関する情報に従って、文字領域に配置する文字を調整する文字領域調整手段として機能させるためのレイアウト決定プログラム。
【請求項５】
請求項４に記載のレイアウト決定プログラムにおいて、前記文字領域調整手段を、文字に色を設定する色設定手段、文字にフォントを設定するフォント設定手段、及び、前記文字領域調整手段を前記文字領域の大きさと前記文字領域に配置すべき文字数とに基づいて文字の大きさを決定する手段として機能させるためのレイアウト決定プログラム。
【請求項６】
請求項４又は５に記載のレイアウト決定プログラムにおいて、前記文字領域調整手段を、前記文字領域に順次文字を配置する手段を含むように機能させるためのレイアウト決定プログラム。
【発明の詳細な説明】
【技術分野】
【０００１】
本発明は、所定の領域に図形及び文字を配置する場合に文字及び図形のレイアウトを決定するレイアウト決定方法及びレイアウト決定プログラムに関する。
【背景技術】
【０００２】
各種製品に対して、図形と説明文等の文字とを混在させたラベルを添付することが行われている。このラベルの中には、例えば定格銘板も含まれる。この定格銘板には、国や製品等によってそれぞれ定められた認可マークや製品に関する説明文が含まれる。このように、図形と説明文とを表示させることにより、利用者がその製品の特性を容易に理解できるようにすることができる。
【０００３】
しかし、定格銘板等に含まれる認可マーク等の図形形状を勝手に変更することはできない。また、認可マーク等の図形は見易さを考慮してある程度の大きさ確保する必要がある。さらに、説明文等の文字は出来るだけ見やすく表示する事が望ましい。
【０００４】
このようなラベルの所定の領域に図形及び文字を配置する場合に文字及び図形のレイアウトを決定する方法として、特開２００３−２９６３０７号に開示された技術が知られている。このレイアウト決定方法において、管理コンピュータは、定格銘板の承認情報表示領域に、図形領域としての認可マーク領域を配置する。次に、管理コンピュータは、承認情報表示領域の図形領域以外の部分において、文字領域として第２文字表示領域及び第１文字表示領域をそれぞれ決定する。そして、管理コンピュータは、第２文字表示領域及び第１文字表示領域にそれぞれ表示する文字について、文字の調整を行う。そして、管理コンピュータは、このようにしてレイアウトを決定した定格銘板を定格銘板出力端末において印刷させ、出力させる。上記従来技術は、所定の領域に図形及び文字を配置する際に、図形及び文字を見栄え良く配置できる。
【特許文献１】特開２００３−２９６３０７号公報
【発明の開示】
【発明が解決しようとする課題】
【０００５】
しかしながら、上記従来技術では、定格銘板等のラベルを製品に添付して表示する際に、利用者が容易に理解するための重要な項目である色の決定方法、決定プログラムに関しての提供がなかった。
【０００６】
そこで、本発明の目的は、所定の領域に図形及び文字を配置する際に図形、文字、及び配置される領域を見栄え良く、色を設定できるレイアウト決定方法及びレイアウト決定プログラムを提供することにある。
【課題を解決するための手段】
【０００７】
請求項１に記載の発明は、所定の領域に図形及び文字を配置する場合に、コンピューターを用いて前記図形及び文字のレイアウトを決定するレイアウト決定方法であって、前記コンピュータが、前記所定の領域に配置すべき図形に関する情報に従って、
図形領域に色を設定する段階と、図形に色を設定する段階と、文字領域に色を設定する段階と、図形領域を設定する段階と、前記図形領域以外の領域を文字領域として決定する段階と、前記文字領域に配置すべき文字に関する情報に従って、文字領域に配置する文字を調整する段階とを備えたことを特徴とするレイアウト決定方法である。
【０００８】
また、請求項２に記載の発明は、請求項１に記載のレイアウト決定方法において、前記文字領域に配置する文字を調整する段階は、文字に色を設定する段階と、文字にフォントを設定する段階と、前記文字領域の大きさと前記文字領域に配置すべき文字数とに基づいて文字の大きさを決定する段階とを備えていることを特徴とするレイアウト決定方法である。
【０００９】
また、請求項３に記載の発明は、請求項１又は２に記載のレイアウト決定方法において、前記文字領域に配置する文字を調整する段階は、前記文字領域に順次文字を配置する段階を含んでいることを特徴とするレイアウト決定方法である。
【００１０】
また、請求項４に記載の発明は、所定の領域に図形及び文字を配置する場合に、コンピュータを用いて前記図形及び文字のレイアウトを決定するためのレイアウト決定プログラムであって、前記コンピュータを、前記所定の領域に配置すべき図形に関する情報に従って、図形領域の色を設定する色設定手段、図形領域を設定する図形領域設定手段、文字領域の色を設定する色設定手段、前記図形領域以外の領域を文字領域として決定する文字領域決定手段、及び、前記文字領域に配置すべき文字に関する情報に従って、文字領域に配置する文字を調整する文字領域調整手段として機能させるためのレイアウト決定プログラムである。
【００１１】
また、請求項５に記載の発明は、請求項４に記載のレイアウト決定プログラムにおいて、前記文字領域調整手段を、文字に色を設定する色設定手段、文字にフォントを設定するフォント設定手段、及び、前記文字領域調整手段を前記文字領域の大きさと前記文字領域に配置すべき文字数とに基づいて文字の大きさを決定する手段として機能させるためのレイアウト決定プログラムである。
【００１２】
また、請求項６に記載の発明は、請求項４又は５に記載のレイアウト決定プログラムにおいて、前記文字領域調整手段を、前記文字領域に順次文字を配置する手段を含むように機能させるためのレイアウト決定プログラムである。
【発明の効果】
【００１３】
請求項１又は請求項４に記載の発明によれば、図形と文字を配置する場合に、図形の色の設定と所定の大きさを有する図形をまず配置でき、そして、図形を配置した領域以外の領域に、できるだけわかりやすく文字を配置できるので、所定の領域に図形及び文字を配置する際に図形、文字、及び配置される領域を見栄え良く、色を設定できる。
【００１４】
請求項２又は請求項５に記載の発明によれば、コンピュータは、文字領域に配置する文字を調整するには、文字に色を設定し、文字にフォントを設定し、文字領域の大きさと文字領域に配置すべき文字数とに基づいて文字の大きさを決定するので、図形を印刷しない部分を有効に利用して、文字を見栄えよく配置できる。
【００１５】
請求項３又は請求項６に記載の発明によれば、文字領域に配置する事項について、大きく表示する必要があるものは大きく表示でき、文字領域においても、重要な事項をわかりやすく表示できる。
【発明を実施するための最良の形態】
【００１６】
以下、本発明を具体化した一実施形態を図１〜図８に従って説明する。図１に示すように、定格銘板製造システム２０は、ネットワークＮを介して、定格銘板出力端末１０に接続されている。定格銘板出力端末１０は、定格銘板を出力する端末であって、定格銘板の印刷を行うための印刷手段を備えている。この定格銘板出力端末１０は、定格銘板製造システム２０の管理コンピュータ２１から送信される定格銘板印刷データを受信して印刷を行うものである。このため、この定格銘板出力端末１０は、図示しない制御手段（ＣＰＵ）、記憶手段（ＲＡＭ、ＲＯＭ、ハードディスク等）、通信手段、表示制御手段（例えば、モニタ）、入力手段を備えている。
【００１７】
定格銘板製造システム２０は、図１に示すように、管理コンピュータ２１を備えている。管理コンピュータ２１は、図示しない制御手段（ＣＰＵ）、記憶手段（ＲＡＭ、ＲＯＭ、ハードディスク等）、通信手段等を有するコンピュータである。この管理コンピュータ２１は、定格銘板製造プログラムを実行することにより、定格銘板製造処理を実行する。なお、この定格銘板製造プログラムは、各種プログラムにより構成されており、これらの各種プログラムを実行することにより、データの送受信、後述するデータの処理等を行う。すなわち、本実施形態では、この管理コンピュータ２１が、図形領域の色を設定する色設定手段、図形領域を設定する図形領域設定手段、文字領域の色を設定する色設定手段、前記図形領域以外の領域を文字領域として決定する文字領域決定手段、前記文字領域に配置すべき文字に関する情報に従って、文字領域に配置する文字を調整する文字領域調整手段等として機能する。
【００１８】
管理コンピュータ２１には、仕向地仕様データ記憶部２２及び機種データ記憶部２３が、それぞれ接続されている。仕向地仕様データ記憶部２２には、図２に示すように、仕向地及び製品種別毎に仕向地仕様データ２２０が記憶されている。本実施形態では、仕向地仕様データ２２０は、仕向地識別子ａ１、製品種別ａ２、承認種別ａ３、記載事項ａ４及び定格銘板フォーマットａ５により構成されている。仕向地識別子ａ１は、仕向地を識別するための識別子である。製品種別ａ２は、例えば、コンピュータ、ファクシミリ等の製品の種別である。承認種別ａ３は、仕向地識別子ａ１及び製品種別ａ２によって特定される予め定められた承認種別である。本実施形態では、例えば、仕向地が日本の場合、承認種別ａ３の候補としては、「ＰＳＥ」（電気用品安全法で定める技術基準への適合マーク）、「ＪＡＴＥ」（財団法人  電気通信端末機器審査協会）とがある。そして、製品種別ａ２により、「ＰＳＥ」及び「ＪＡＴＥ」の両方が必要な場合、「ＰＳＥ」のみが必要な場合、「ＪＡＴＥ」が必要な場合がある。また、例えば、仕向地が北米の場合には承認種別ａ３は「ＦＣＣ」（Ｆｅｄｅｒａｌ  Ｃｏｍｍｕｎｉｃａｔｉｏｎｓ  Ｃｏｍｍｉｓｓｉｏｎ、連邦通信委員会）であり、仕向地が欧州の場合には承認種別ａ３は「Ｌａｓｅｒ」である。記載事項ａ４は、定格銘板に記載する必要がある定格情報である。定格銘板フォーマットａ５は、定格銘板に印刷する事項のフォーマットについての情報であって、例えば、図６に示すような定格銘板３０に印刷する定格銘板のフォーマットについての情報である。図６に示すように、定格銘板３０は、ブランド表示領域３１、定格情報表示領域３２及び所定の領域としての承認情報表示領域４０を有する。ブランド表示領域３１は、ブランドを表示する領域である。定格情報表示領域３２は、定格情報を表示する領域である。承認情報表示領域４０は、承認情報を表示する領域である。なお、仕向地仕様データ２２０は、各国で定格銘板に表示すべき承認種別や記載事項に基づいて本実施形態の処理に先立って記憶されている。
【００１９】
機種データ記憶部２３には、図３に示すように、機種識別子毎に機種データ２３０が記憶されている。本実施形態では、機種データ２３０は、機種識別子ｂ１、製品種別ａ２、承認情報ｂ２及び定格情報ｂ３により構成されている。機種識別子ｂ１は、機種を識別するための識別子である。製品種別ａ２は、この製品の種別であって、仕向地仕様データ２２０の製品種別ａ２に対応する。承認情報ｂ２は、その機種について承認されている承認種別について設定される。例えば、「ＰＳＥ」及び「ＪＡＴＥ」について承認されている場合、承認情報ｂ２として「ＰＳＥ」及び「ＪＡＴＥ」が設定されている。定格情報ｂ３は、その機種の定格情報であって、仕向地仕様データ２２０の記載事項ａ４に対応する項目についての定格情報が設定される。この定格情報ｂ３には、例えば、定格電圧、定格周波数、定格電流、定格電力等が設定される。なお、機種データ２３０は、製品の設計段階や承認の得られたときに記憶される。
【００２０】
次に、上記のように構成されたシステムにおいて、管理コンピュータ２１が定格銘板出力端末１０を用いて定格銘板を製造する場合の処理手順を図４に従って説明する。
図４に示すように、まず、作業者は、定格銘板の製造の要求を定格銘板出力端末１０を用いて行う。この場合、定格銘板出力端末１０は、定格銘板製造要求データをネットワークＮを介して管理コンピュータ２１に送信する。この要求を受信した管理コンピュータ２１は、定格銘板を製造する機種の機種識別子ｂ１の入力要求を定格銘板出力端末１０に送信する。この要求を受信した定格銘板出力端末１０は、作業者に機種識別子ｂ１の入力を促す。なお、作業者に各種データの入力を促す場合には、このデータを要求する画面表示をモニタに出力することにより行なわれる。そして、作業者が定格銘板を製造する機種の機種識別子ｂ１を入力した場合、定格銘板出力端末１０は、その機種識別子ｂ１を管理コンピュータ２１に送信する。管理コンピュータ２１は、この機種識別子ｂ１をネットワークＮを介して受信する（Ｓ１−１）。次に、管理コンピュータ２１は、受信した機種識別子ｂ１に基づいて、機種データ記憶部２３から製品種別ａ２を抽出する（Ｓ１−２）。
次に、管理コンピュータ２１は、仕向地識別子ａ１の要求を定格銘板出力端末１０に送信する。定格銘板出力端末１０は、この要求に基づいて作業者に対して仕向地識別子ａ１の入力を促す。作業者が仕向地識別子ａ１を入力した場合、定格銘板出力端末１０は、入力された仕向地識別子ａ１を管理コンピュータ２１に送信する。そして、管理コンピュータ２１は、その仕向地識別子ａ１によりネットワークＮを介して仕向地を受信する（Ｓ１−３）。そして、管理コンピュータ２１は、受信した仕向地の仕向地識別子ａ１を用いて、仕向地仕様データ記憶部２２から承認種別ａ３を抽出する（Ｓ１−４）。
【００２１】
次に、管理コンピュータ２１は、その承認種別ａ３について、承認の有無を判定する（Ｓ１−５）。具体的には、管理コンピュータ２１は、機種識別子ｂ１により機種データ記憶部２３から承認情報ｂ２を抽出し、承認種別ａ３についての承認があるかどうかを判定する。承認情報ｂ２に承認種別ａ３が設定されている場合、管理コンピュータ２１は、その承認種別ａ３について、承認がされていると判断する。そして、管理コンピュータ２１は、承認ありの場合（ステップＳ１−５でＹＥＳの場合）、承認識別子の抽出を行う（Ｓ１−６）。ここでは、承認識別子として、承認時に付与された承認番号を用いる。本実施形態では、承認識別子は機種識別子ｂ１及び承認種別ａ３に関連付けられて図示しない記憶部に記憶されている。
【００２２】
次に、管理コンピュータ２１は、仕向地仕様データ２２０の記載事項ａ４に基づいて機種データ２３０の定格情報ｂ３から記載事項ａ４に対応する項目の情報を抽出する（Ｓ１−７）。
【００２３】
次に、管理コンピュータ２１は、定格銘板に表示するブランドの入力要求を定格銘板出力端末１０に送信する。そして、作業者がブランドを入力した場合、定格銘板出力端末１０は、入力されたブランドを管理コンピュータ２１に送信する。そして、管理コンピュータ２１は、そのブランドをネットワークＮを介して受信する（Ｓ１−８）。
【００２４】
次に、管理コンピュータ２１は、承認情報表示領域４０における図形及び文字の配置を決定する自動レイアウト処理を行う（Ｓ１−９）。この処理を図５に従って説明する。
【００２５】
図５（Ａ）に示すように、管理コンピュータ２１は、承認情報表示領域４０において、図形領域の色の設定（Ｓ２−１）、認可マーク等の図形の色の設定（Ｓ２−２）、そして、図形を配置する図形領域を設定する（Ｓ２−４）。なお、この認可マークは、仕向地の承認種別ａ３に対応するものである。ここで、認可マーク等の図形は、視覚的にわかりやすく示す必要があるため、見やすい色、ある程度の大きさを有する必要がある。本実施形態では、認可マーク等の図形の色と大きさは、それぞれ個別に予め定められている。ここでは、管理コンピュータ２１は、図７に示すように、承認情報表示領域４０に対して、図形領域としての認可マーク領域４１の色設定を行って配置する。
【００２６】
次に、管理コンピュータ２１は、承認情報表示領域４０の図形領域以外の部分において、文字領域の色を設定（Ｓ２−３）、文字領域を決定する（Ｓ２−５）。ここでは、管理コンピュータ２１は、第１文字表示領域５０の色及び第２文字表示領域５１の色をそれぞれ決定する。そして、第１文字表示領域５０及び第２文字表示領域５１をそれぞれ決定する。第１文字表示領域５０は、承認に関する情報を表示する領域である。第２文字表示領域５１は、承認識別子を含む情報を表示する領域である。なお、本実施形態では、第２文字表示領域５１を承認情報表示領域４０中の下部の領域に設定するようになっている。そして、管理コンピュータ２１は、承認情報表示領域４０中の下部の領域のうち、認可マーク領域４１が配置される図形領域以外の領域に第２文字表示領域５１を配置する。そして、管理コンピュータ２１は、第２文字表示領域５１の上側の図形領域以外の領域に第１文字表示領域５０を配置する。
【００２７】
また、一実施例として図５（Ａ）に示している、図形領域の色の設定（Ｓ２−１）、図形に色の設定（Ｓ２−２）、文字領域の色の設定（Ｓ２−３）の順番に関しては、図５（Ａ）に示す順序のどこに位置していても良い。
【００２８】
図形領域の色の設定（Ｓ２−１）、図形に色の設定（Ｓ２−２）、文字領域の色の設定（Ｓ２−３）の色は、単色でも多色でもよく、明度、彩度の調整、及び、多色による色の効果、例えば、グラデーション、ストライプ、格子、等でも良い。
【００２９】
管理コンピュータ２１は、表示する必要がある文字の調整を行う（Ｓ２−６）。具体的には、図５（Ｂ）に示すように、管理コンピュータ２１は、第１文字表示領域５０、第２文字表示領域５１の領域の色に基づいて、第１文字表示領域５０、第２文字表示領域５１に配置する文字の色を決定し（Ｓ３−１）、フォントを決定する（Ｓ３−２）。第１文字表示領域５０、第２文字表示領域５１の大きさと第１文字表示領域５０、第２文字表示領域５１にそれぞれ配置する文字の文字数とに基づいて、第１文字表示領域５０、第２文字表示領域５１に配置する文字の大きさをそれぞれ決定する（Ｓ３−３）。
【００３０】
また、一実施例として図５（Ｂ）に示している、文字に色の設定（Ｓ３−１）、フォントの設定（Ｓ３−２）、文字の大きさ決定（Ｓ３−３）の順番に関しては、図５（Ｂ）に示す順序のどこに位置していても良い。
【００３１】
また、文字の色は単色でも多色でもよく、明度、彩度の調整、及び、多色による色の効果、例えば、グラデーション、ストライプ、格子、等でも良い。
【００３２】
そして、図５（Ｂ）の処理の後、管理コンピュータ２１は、第１文字表示領域５０、第２文字表示領域５１について、それぞれ左上から順次文字を配置していく。
【００３３】
次に、自動レイアウト以降の作業を説明する。
【００３４】
管理コンピュータ２１は、仕向地仕様データ２２０、機種データ２３０、入力された情報及び自動レイアウト処理により決定されたレイアウトに基づいて、定格銘板のフォーマットの例示を行う（Ｓ１−１０）。具体的には、管理コンピュータ２１は、ブランド表示領域３１、定格情報表示領域３２、承認情報表示領域４０にそれぞれブランド、定格情報、承認情報を設定した定格銘板のフォーマットを生成する。そして、管理コンピュータ２１は、その定格銘板のフォーマットを表示するための定格銘板表示データを定格銘板出力端末１０に送信する。定格銘板表示データを受信した定格銘板出力端末１０は、モニタに定格銘板のフォーマットを表示する。作業者は、定格銘板出力端末１０のモニタの表示を確認し、表示された定格銘板のフォーマットを用いて定格銘板を製造する場合、その定格銘板の出力要求を定格銘板出力端末１０から管理コンピュータ２１に送信する。
これに応じて、管理コンピュータ２１は、その定格銘板の必要枚数の入力要求を定格銘板出力端末１０に送信する。この要求を受信した定格銘板出力端末１０はモニタに必要枚数の入力画面を表示する。そして、作業者が必要枚数を入力した場合、定格銘板出力端末１０は、その必要枚数を管理コンピュータ２１に送信する。そして、管理コンピュータ２１は、その必要枚数をネットワークＮを介して受信する（Ｓ１−１１）。
【００３５】
次に、管理コンピュータ２１は、その必要枚数に応じて機番の付与を行う（Ｓ１−１２）。具体的には、管理コンピュータ２１は、図示しない記憶部に記憶された付与済の機番の最大値に基づいて、付与する機番の開始番号を決定する。そして、管理コンピュータ２１は、この開始番号から必要枚数分の機番を付与し、定格銘板を製造するための定格銘板印刷データを定格銘板出力端末１０に送信する（Ｓ１−１３）。この定格銘板印刷データは、ステップＳ１−１０においてモニタに表示した定格銘板のフォーマットに機番を付与したものである。そして、定格銘板出力端末１０は、その定格銘板印刷データに基づいて定格銘板の印刷を行う。この結果、図７に示すように、ブランド表示領域３１、定格情報表示領域３２及び承認情報表示領域４０に各項目が設定された定格銘板３０が印刷される。そして、作業者は、このようにして製造した定格銘板を製造した製品に貼付する。
【００３６】
次に、表示する図形が多く、図７に示す場合よりも広い範囲を図形領域として設定する場合の自動レイアウト処理について、図８を用いて説明する。図８に示す承認情報表示領域４０においては、図形領域として、認可マーク領域４１、追加第１マーク領域４２、追加第２マーク領域４３及び２次元バーコード領域４４が設定されている。そして、それらの領域には、それぞれ、認可マーク、追加第１マーク、追加第２マーク及び２次元バーコードが配置されている。なお、図８において、認可マーク領域４１に表示する認可マークは、図７における認可マーク領域４１に表示する認可マークと同様である。また、文字領域として、第２文字表示領域５３及び第１文字表示領域５２が設定されている。第１文字表示領域５２、第２文字表示領域５３への表示内容は、図７の第１文字表示領域５０、第２文字表示領域５１への表示内容とそれぞれ同様である。
【００３７】
図８に示すレイアウトについては、ステップＳ２−１において、管理コンピュータ２１は、認可マーク領域４１、追加第１マーク領域４２、追加第２マーク領域４３及び２次元バーコード領域４４を図面領域として設定する。ここで、本実施形態では、図形の大きさについては、それぞれ予め定めてあるため、認可マーク領域４１は、図７の認可マーク領域４１と同様の大きさを有する。また、追加第１マーク領域４２、追加第２マーク領域４３及び２次元バーコード領域４４についても、それぞれ予め大きさが定められており、管理コンピュータ２１は、それらを予め定められた大きさで配置する。
【００３８】
次に、ステップＳ２−２において、管理コンピュータ２１は、承認情報表示領域４０において、領域４１〜４４に対応する図形領域が設定されていない領域を文字領域として決定する。ここでは、管理コンピュータ２１は、文字領域として、第２文字表示領域５３及び第１文字表示領域５２をそれぞれ設定する。具体的には、管理コンピュータ２１は、第２文字表示領域５３を承認情報表示領域４０の下部に配置し、その上部に第１文字表示領域５２を配置する。
【００３９】
そして、ステップＳ２−３において、管理コンピュータ２１は、文字領域としての第２文字表示領域５３及び第１文字表示領域５２において、文字の調整を行う。ここでは、文字領域が図７の場合と比較して小さいため、第１文字表示領域５２，第２文字表示領域５３は、それぞれ第１文字表示領域５０，第２文字表示領域５１よりも小さくなっている。このため、管理コンピュータ２１は、第１文字表示領域５２，第２文字表示領域５３の文字を、第１文字表示領域領域５０，第２文字表示領域５１の文字よりもそれぞれ小さく表示するように設定する。さらに、第１文字表示領域５２においては、第１文字表示領域５２の縦横の比が第１文字表示領域５０の縦横の比に対して縦長になっている。このため、管理コンピュータ２１は、第１文字表示領域５２においては、１行に含まれる文字数が第１文字表示領域５０の場合よりも少なくなっている。
【００４０】
以上、本実施形態によれば、以下に示す効果を得ることができる。上記の実施形態では、管理コンピュータ２１は、承認情報表示領域４０に認可マーク等の図形及び承認に関する情報等の文字を配置する場合に、まず、図形領域の色を設定し、次ぎに、図形領域を設定する。そして、コンピュータは、図形領域以外の領域すなわち文字領域の色を設定し、図形領域以外の領域を文字領域として決定し、文字領域に配置すべき文字に関する情報に従って、文字領域に配置する文字の調整を行う。このため、承認情報表示領域４０に認可マーク等の図形と承認に関する情報等の文字を配置する場合に、図形の色の設定と所定の大きさを有する図形をまず配置できる。そして、図形を配置した領域以外の領域に、できるだけわかりやすく文字を配置できる。
【００４１】
上記の実施形態では、認可マーク等の図形を表示する領域の大きさは、それぞれ予め定められている。このため、認可マーク等は、使用者が認識しやすい所定の大きさで表示できる。また、２次元バーコードを表示する領域の大きさが予め定められているため、２次元バーコードは所定の大きさで表示でき、２次元バーコードの読取手段での読取が可能となる。
【００４２】
上記の実施形態では、管理コンピュータ２１は、文字領域の大きさ及び形状に対応して、文字領域に配置する文字の調整を行う。このため、承認情報表示領域４０において、認可マーク等の図形を印刷しない部分を有効に利用して、文字を見栄えよく配置できる。
【００４３】
なお、上記実施形態は、以下の態様に変更してもよい。上記の実施形態では、定格銘板に図形及び文字を印刷した。図形及び文字を印刷する媒体は、これに限られず、所定の領域に印刷を行うものであれば、どのようなものであってもよい。例えば、図形及び文字を印刷する媒体は、その他のラベルとしてのデカル類や包装材であってもよい。
【００４４】
上記の実施形態では、図形領域に配置する領域４１〜４４の大きさを所定の大きさとした。これに代えて、領域４１〜４４の大きさは、最小の大きさを定めて、可変としてもよい。このようにすることで、図形及び文字を印刷する領域に余裕がある場合は、図形を大きく表示でき、認可マーク等の図形をわかりやすく表示できる。さらには、文字の大きさのみでなく、文字の色、フォントを設定することでよりわかりやすい表示が可能になる。
【００４５】
上記の実施形態では、文字領域に配置する領域５０〜５３については、最小の大きさや、文字領域に配置する他の領域に対する割合等について、特に定めていなかった。これに代えて、文字領域に配置する各領域について、最小の大きさや、文字領域に配置する他の領域に対する割合等について予め定めていてもよい。このようにすることで、文字領域に配置する事項について、大きく表示する必要があるものは大きく表示でき、文字領域においても、重要な事項をわかりやすく表示できる。
【００４６】
上記の実施形態では、定格銘板製造システム２０に記憶部２２，２３を設定したが、各記憶部２２，２３は、分けて別の場所に設定してもよい。また、記憶部２２，２３を設定した専用機により同様の処理を行ってもよい。なお、本発明は上記実施形態に限定されるものではない。即ち、本発明の骨子を逸脱しない範囲で種々変形して実施することができる。
【図面の簡単な説明】
【００４７】
【図１】本発明の一実施形態のシステム概略図である。
【図２】仕向地仕様データ記憶部に記憶されたデータの説明図である。
【図３】機種データ記憶部に記憶されたデータの説明図である。
【図４】本発明の一実施形態の処理手順の説明図である。
【図５】本発明の一実施形態の処理手順の説明図である。
【図６】定格銘板を説明するための説明図である。
【図７】定格銘板の承認情報表示領域を説明するための説明図である。
【図８】定格銘板の承認情報表示領域を説明するための説明図である。
【符号の説明】
【００４８】
１０    定格銘板出力端末
２０    定格銘板製造システム
２１    管理コンピュータ
２２    仕向地仕様データ記憶部
２３    機種データ記憶部
３０    定格銘板
３１    ブランド表示領域
３２    定格情報表示領域
４０    承認情報表示領域（所定の領域）
４１    認可マーク領域（図形領域）
４２    追加第１マーク領域（図形領域）
４３    追加第２マーク領域（図形領域）
４４    ２次元バーコード領域（図形領域）
５０    第１文字表示領域（文字領域）
５１    第２文字表示領域（文字領域）
５２    第１文字表示領域（文字領域）
５３    第２文字表示領域（文字領域）
２２０    仕向地仕様データ
２３０    機種データ
【図１】
2005216082.tif 000003
【図２】
2005216082.tif 000004
【図３】
2005216082.tif 000005
【図４】
2005216082.tif 000006
【図５】
2005216082.tif 000007
【図６】
2005216082.tif 000008
【図７】
2005216082.tif 000009
【図８】
2005216082.tif 000010